(57)【要約】      （修正有）【課題】照射される光の広がりを広くして視認可能な方向を広げ、また光の発光形態を変化させることにより、装飾性を高めることの可能な装飾機能を備えた履物を提供する。【解決手段】光透過性材料によって厚底に形成された履物本体２を備え、この履物本体の内部には空間部が形成されているとともに、この空間部内に、履物本体の外部へ向けて光を照射する発光体３と、発光体に駆動電力を供給する電力供給手段４と、発光体への駆動電力の供給形態を変化させて発光体の発光形態を変化させるコントロールユニット６が組み込まれている。【選択図】図２
0003196251.tif 000002
【実用新案登録請求の範囲】
【請求項１】
光透過性材料によって厚底に形成された履物本体を備え、この履物本体の内部には空間部が形成されているとともに、この空間部内に、前記履物本体の外部へ向けて光を照射する発光体と、この発光体へ駆動電力を供給する電力供給手段と、前記発光体への駆動電力の供給形態を変化させることにより、前記発光体の発光形態を変化させるコントロールユニットが組み込まれてなることを特徴とする装飾機能を備えた履物。
【請求項２】
前記発光体が複数設けられ、これらの発光体の発光形態が、前記コントロールユニットによって個々に変化させられるようになされていることを特徴とする請求項１に記載の装飾機能を備えた履物。
【請求項３】
前記発光体がＬＥＤであることを特徴とする請求項１または請求項２に記載の装飾機能を備えた履物。
【請求項４】
前記ＬＥＤが、三色ＬＥＤであることを特徴とする請求項３に記載の装飾機能を備えた履物。
【請求項５】
前記電力供給手段が乾電池であることを特徴とする請求項１ないし請求項４の何れかに記載の装飾機能を備えた履物。
【請求項６】
前記電力供給手段が、再充電可能な二次電池と、この二次電池の充電を行なう充電手段とによって構成されていることを特徴とする請求項１ないし請求項４に記載の装飾機能を備えた履物。
【請求項７】
前記充電手段が、前記履物本体の外面に露出させられたＵＳＢ端子を備え、このＵＳＢ端子を介して外部電源へ接続されるようになされていることを特徴とする請求項６に記載の装飾機能を備えた履物。
【請求項８】
前記コントロールユニットが、赤外線通信手段を備え、この赤外線通信手段が、前記履物本体に設けられた赤外線受信機と、この赤外線受信機に、赤外線に変換された操作情報を送出するリモートコントローラーによって構成されていることを特徴とする請求項１ないし請求項５の何れかに記載の装飾機能を備えた履物。
【考案の詳細な説明】
【技術分野】
【０００１】
本考案は、装飾機能を備えた履物に係わり、特に、光によって装飾を行なうようにした履物に関するものである。
【背景技術】
【０００２】
従来、この種の履物として、たとえば、特許文献１に示される構造のものが提案されている。
【０００３】
この従来の技術は、ハイヒールのヒール部分に、後方へ向けて光を照射する発光体と、この発光体に駆動電力を供給する乾電池を組み込んだ構成となっている。
【先行技術文献】
【特許文献】
【０００４】
【特許文献１】特開平１０−１２７３０７号公報
【考案の概要】
【考案が解決しようとする課題】
【０００５】
前述した従来の技術によって、履物の内部から光が照射されて、この光によって履物に装飾機能を与えることができるようになった。
【０００６】
しかしながら、この技術では、光の照射がヒールの後方においてのみなされ、かつ、前記光の照射が継続して行なわれることから、変化の乏しい装飾になりがちで、視覚的な興味を引きつけるには十分ではない。
【０００７】
本考案は、前述した従来の技術において残されている問題点に鑑みてなされたもので、照射される光の広がりを極力広くして、視認可能な方向を広げ、また、前記光の発光形態を変化させることにより、装飾性を高めることの可能な装飾機能を備えた履物を提供することを解決すべき課題とする。
【課題を解決するための手段】
【０００８】
本考案に係わる装飾機能を備えた履物は、前述した課題を解決するために、光透過性材料によって厚底に形成された履物本体を備え、この履物本体の内部には空間部が形成されているとともに、この空間部内に、前記履物本体の外部へ向けて光を照射する発光体と、この発光体の駆動電力を供給する電力供給手段と、前記発光体への駆動電力の供給形態を変化させることにより、前記発光体の発光形態を変化させるコントロールユニットが組み込まれてなることを特徴とする。
【０００９】
このように構成された履物は、前記電力供給手段として、乾電池や充電可能な二次電池が用いられ、二次電池を用いる場合には、使用前に、充電手段によって前記二次電池に駆動電力を蓄える。
【００１０】
使用に当たっては、コントロールユニットを適宜作動させることにより、乾電池若しくは二次電池に蓄えられている駆動電力を前記発光体に供給して、この発光体を発光させる。
【００１１】
前記発光体から照射された光は、この発光体が収納された前記履物本体が光透過性材料によって形成されていることにより、この履物本体の内面からその内部に入射し、その後、履物本体の壁内部を通って外部へ導かれる。
【００１２】
したがって、前記光の進路は、前記履物本体全体に分散され、これによって、前記光が、前記履物本体の回りほぼ全周にわたり確認される。
【００１３】
しかも、前記コントロールユニットによって、前記発光体の発光形態が変化させられる。
したがって、これらの相乗作用によって、極めて効果的な装飾効果を得ることができる。
【００１４】
前記発光体は、複数設けることができる。
そして、これらの発光体の発光形態を、前記コントロールユニットによって個々に変化させることにより、視認される光に動きを与えることができるので、装飾効果をさらに向上させることができる。
【００１５】
前記発光体をＬＥＤによって構成することができる。
このような構成とすることにより、消費電力を軽減することができるとともに、外力が頻繁に作用する履物において、その耐久性を確保することができる。
【００１６】
そして、前記ＬＥＤを、三色ＬＥＤとすることができる。
このような構成とすることにより、発光体から照射される光に色の変化を付与することができ、これによって、装飾性をさらに高めることができる。
【００１７】
一方、前記充電手段に、前記履物本体の外面に露出させられたＵＳＢ端子を用い、このＵＳＢ端子を介して外部電源へ接続するようにすることができる。
【００１８】
このような構成とすることにより、充電手段の構成部材を小さくして、履物の外観が損なわれてしまうことを防止することができるとともに、一般的な家庭用コンセントだけでなく、パーソナルコンピュータを外部電源として充電することができる。
【００１９】
また、前記コントロールユニットに、赤外線通信手段を組み込み、この赤外線通信手段を、前記履物本体に設けられた赤外線受信機と、この赤外線受信機に、赤外線に変換された操作情報を送出するリモートコントローラーによって構成することができる。
【００２０】
このような構成とすることにより、前記リモートコントローラーによって、離れた場所から前記コントロールユニットに制御信号を送ることができるので、履物に触れることなく、前記発光体の発光やその停止、もしくは、その発光形態の調整を行なうことができる。
【考案の効果】
【００２１】
このように、本考案の装飾機能を備えた履物によれば、照射される光の広がりを極力広くして視認可能な方向を広げるとともに、前記光の発光形態を変化させ、これによって視認性が高く、かつ、変化に富んだ装飾を実現することができる。
【図面の簡単な説明】
【００２２】
【図１】本考案の一実施形態を示す外観斜視図である。
【図２】本考案の一実施形態を示すもので、履物本体の縦断面図である。
【図３】本考案の一実施形態を示すもので、履物本体の底面図である。
【図４】本考案の一実施形態を示すもので、発光体の発光形態を示す図である。
【考案を実施するための形態】
【００２３】
以下、本考案の一実施形態を、図面を参照して説明する。
図１において符号１は、本実施形態に係わる装飾機能を備えた履物（以下、履物と略称する）を示し、この履物１は、光透過性材料によって厚底に形成された履物本体２を備え、この履物本体２の内部には空間部２ａ（図２参照）が形成されているとともに、この空間部２ａ内に、前記履物本体２の外部へ向けて光を照射する発光体３と、この発光体３の駆動電力を蓄積する二次電池４と、この二次電池４に連設された充電手段５と、前記二次電池４に蓄積された駆動電力の、前記発光体３への供給形態を変化させることにより、前記発光体３の発光形態を変化させるコントロールユニット６が組み込まれた基本構成となっている。
【００２４】
本実施形態においては、前記履物１としてハイヒールを例示しており、前記履物本体２は、透明な合成樹脂の成形品で構成され、その表面にはダイヤモンドカット状の形状を有する突部が多数形成されている。
また、前記二次電池４と充電手段５によって、前記発光体３へ駆動電力を供給する電力供給手段を構成した例について示した。
【００２５】
そして、前記履物本体２の上部には、前記空間部２ａを覆って本底７が一体に取り付けられており、また、この本底７の先端部上方を覆うようにして、使用者の足の甲を支える甲帯８が一体に取り付けられている。
【００２６】
前記発光体３は、本実施形態においては三色ＬＥＤが用いられており、前記履物本体２の踵部と爪先部、および、その中間部に配置され、前記履物本体２の空間部２ａの開口を覆って一体に取り付けられた支持プレート９の下面に装着されている。
そして、これらの発光体３は、電力線によって前記コントロールユニット６へ接続されている。
【００２７】
また、前記履物本体２の前記空間部２ａの爪先部には、基板１０が一体に取り付けられており、この基板１０に、前記二次電池４、前記充電手段５を構成する充電器１１、および、前記コントロールユニット６が装着されている。
【００２８】
前記充電手段５は、前記二次電池４に電力線によって接続された充電器１１と、この充電器１１に電力線を介して接続され、前記履物本体２のヒールの付け根の内側部分に装着されたＵＳＢ端子１２とによって構成されており、このＵＳＢ端子１２は、その接続面が、前記履物本体２の表面に露出した状態で装着されている。
【００２９】
さらに、本実施形態においては、前記コントロールユニット６が赤外線通信手段を備えている。
【００３０】
この赤外線通信手段は、前記コントロールユニット６に信号線で接続され、前記履物本体２のヒールの付け根の内側に、外部へ露出した状態で装着された赤外線受信器１３と、この赤外線受信器１３に制御信号を送出するリモートコントローラー１４（図１参照）とによって構成されている。
【００３１】
前記リモートコントローラー１４は、前記コントロールユニット６に、ＯＮ・ＯＦＦの信号や、前記発光体３の発光形態、たとえば、複数ある発光体３の発光順、各発光体３の点滅や点灯、各発光体３の発光色の選択、さらには、各発光体の照度等の制御信号を送出するようになっている。
【００３２】
そして、本実施形態においては、前記赤外線受信器１３や前記ＵＳＢ端子１２の近傍に、前記コントロールユニット６に信号線で接続され、前記発光形態の切り替えを行なう発光切り替えスイッチ１５が設けられている。
【００３３】
ここで、前述した発光形態について、その一例を図４に基づき説明する。
３個のＬＥＤからなる発光体３を用いた本実施形態においては、図４（ａ）に示すように、各ＬＥＤの各発光色について、ａ〜ｌの１２種類の発光形態が設定され、これらの発光形態が択一的に選択されるようになっている。
【００３４】
このような発光形態に加えて、図４（ｂ）に示すように、３個のＬＥＤの発光順序が、パターン１〜６のように設定され、加えて、前記ＬＥＤを同時発光させるパターン７が設定されている。
【００３５】
これらの発光形態ａ〜ｌと発光順序１〜７との組み合わせによって、前記各発光体３の発光がなされる。
【００３６】
そして、前述した組み合わせは、前記コントロールユニット６に組み込まれているプログラムに基づいて行なわれ、ランダムに選択された組み合わせによって発光が行なわれ、あるいは、特定の組み合わせをモード化して複数のモードを設定しておき、これらのモードの一つを選択することにより発光が行なわれる。
【００３７】
さらに、前記モードを順次切り替えるようにすることにより、多彩な発光形態が創出される。
このような発光形態の選択は、前記リモートコントローラー１４や、前記発光切り替えスイッチ１５の操作によって行なわれる。
【００３８】
このように各発光体３から照射される光は、前記履物本体２の内面からその内部に入射し、この履物本体２の壁内を導体として拡散された後に、外面を経て外部へ照射される。
【００３９】
したがって、前記発光体３から照射された光は、前記履物本体２を透過する間に拡散されて、この履物本体２の広い範囲が照らされる。
この結果、前記履物１回りの広い範囲において、前記発光体３による装飾を視認させることができる。
【００４０】
しかも、前記発光体３から照射される光に動きが与えられ、かつ、色の変化が与えられることにより、変化に富んだ装飾が得られ、その装飾効果が飛躍的に向上する。
【００４１】
一方、前記発光体３に供給される駆動電力が消費された際には、前記ＵＳＢ端子１２を用いて前記充電器１１を外部電源に接続することにより、前記充電器１１を介して前記二次電池４の充電を行なうことができる。
【００４２】
ここで、外部電源への接続をＵＳＢ端子１２によって行なうようにしたことにより、その接続部の構造が小さく抑えられ、これによって、履物１の外形が損なわれることを防止することができる。
【００４３】
さらに、前記ＵＳＢ端子１２を用いることにより、充電用の外部電源として、室内コンセント以外に、パーソナルコンピュータや携帯電源を用いることができる。
これによって、利用範囲が大幅に拡大される。
【００４４】
なお、前記実施形態において示した各構成部材の諸形状や寸法等は一例であって設計要求等に基づき種々変更可能である。
例えば、前記二次電池４と充電手段５に代えて乾電池を用いることもできる。
また、前記リモートコントローラ１４は必ずしも必要ではなく、省いた構成とすることも可能である。
【符号の説明】
【００４５】
１  （装飾機能を備えた）履物
２  履物本体
２ａ  空間部
３  発光体
４  二次電池
５  充電手段
６  コントロールユニット
７  本底
８  甲帯
９  支持プレート
１０  基板
１１  充電器
１２  ＵＳＢ端子
１３  赤外線受信器
１４  リモートコントローラー
１５  発光切り替えスイッチ
【図１】
0003196251.tif 000003
【図２】
0003196251.tif 000004
【図３】
0003196251.tif 000005
【図４】
0003196251.tif 000006